Podtech/llm-jp-corpus-v4-ja_patent huggingface dataset:
(57)【要約】      （修正有）【課題】適宜設置して高齢者及び歩行困難な人を援助し、必要でなくなったときは取り除き床面の現状を回復できる移動して使用する手すりを提供する。【解決手段】木製の手すり１と木製の手すりの両脚２をベースコーナー６で繋ぎ、木製の支柱３をブラケット７で両脚２に取り付け、下部にベースソケットを付ける。手すり１が木製で長方形の２枚のベース板に対し直角になるようベースソケットで両脚２をベース板に取り付ける。ベース板の底にすべり止めのゴムシートを設けたことを特徴とする。【選択図】図１
2015150405.tif 000002
【特許請求の範囲】
【請求項１】
木製の手すり（１）と木製に手すりの両脚（２）をベースコーナー（６）で繋ぎ木製の支柱（３）をブラケット（７）で両脚（２）に取り付け下部にベースソケット（８）を付け、手すり（１）が木製で長方形の２枚のベース板（４）に対して直角になるようベースソケット（８）で両脚（２）をベース板（４）に付けベース板（４）の底にすべり止めのゴムシート（５）を設けたことを特徴とする移動できる手すり。
【発明の詳細な説明】
【技術分野】
【０００１】  本発明は、２枚の長方形のベース板に手すりの両脚を取り付け床を移動して使用する手すりに関するものである。
【背景技術】
【０００２】  手すりは従来、床、壁に固定されて取り付いているのが一般的である。
【先行技術文献】
【特許文献】
【０００３】
【特許文献１】
【発明の概要】
【発明が解決しようとする課題】
【０００４】  これは次のような欠点があった。
（イ）手すりは、壁に固定されているためその場所に行くのに人の介助が必要である。
（ロ）手すりが設置されてない所を歩くのに人の介助及び歩行補助具を利用し移動している。
本発明は、以上のような欠点をなくすためになされたものである。
【課題を解決するための手段】
【０００５】  木製の手すり（１）と木製の手すりの両脚（２）をベースコーナー（６）で繋ぎ、木製の支柱（３）をブラケット（７）で両脚（２）に取り付け下部にベースソケット（８）を付ける。手すり（１）が木製で長方形の２枚のベース板（４）に対して直角になるようベースソケット（８）で両脚（２）をベース板（４）に取り付ける。ベース板（４）の底にすべり止めのゴムシート（５）を設ける。
本発明は、以上の構成による移動できる手すりである。
【発明の効果】
【０００６】  （イ）壁に固定されている手すりの所まで、本発明を連続して設置することにより人の介助がいらなくなる。
（ロ）手すりの設置されていない施設に本発明を備え、手すりが必要と思われる所に適宜設置し高齢者及び歩行困難な人を援助する。
（ハ）手すりは移動できるので必要でなくなったときは取り除き床面の現状を回復ができる。
【図面の簡単な説明】
【０００７】
【図１】本発明の斜視図である。
【図２】本発明の正面図である。
【発明を実施するための形態】
【０００８】  以下、発明を実施するための形態について説明する。
手すり（１）と手すりの両脚（２）をベースコーナー（６）タッピングネジ（９）で繋ぎ）に支柱（３）をブラケット（７）タッピングネジ（９）で両脚（２）に付け下部にベースソケット（８）をタッピングネジ（９）で取り付け、２枚の長方形のベース板（４）に対して、手すり（１）が直角になるよう両脚（２）をベースソケット（８）タッピングネジ（１０）でベース板（４）に取り付け、ベース板（４）の底にすべり止めのゴムシート（５）を設ける。
本発明は、以上のような構造である。
本発明を使用するときは、２枚のベース板（４）に固定されて一体になっている手すり（１）の中央を持ち床面から移動させて使用する。
手すり（１）は２枚のベース板（４）に対し直角に取り付け横方向の安定を図り、２枚のベース板（４）の底にすべり止めのゴムシート（５）を設けて床面に密着させている。
【符号の説明】
【０００９】    １    手すり
２    手すり脚
３    支柱
４    ベース板
５    すべり止めのゴムシート
６    ベースコーナー
７    ブラケット
８    ベースソケット
９    タッピングネジ
１０  タッピングネジ
【図１】
2015150405.tif 000003
【図２】
2015150405.tif 000004
(57)【要約】【課題】  従来の技術において、１箇所以上のいろいろな角度のすき間を設けてなるもので焼き鳥等の串刺し食品を１つあるいは全部引き抜くことはできるが、そのまま食べることはできにくいものである。また、スプーンの機能を維持したままフォークの機能を付加してなるもので、串刺した焼き鳥等に使用するものではない。【解決手段】  スプーンの掬部の先端から中心に向けて串刺食品の串を差し入れる溝を形設すると共に、掬部の中心に引抜孔を穿設してなることを特徴とする。【選択図】図１
2015150410.tif 000002
【特許請求の範囲】
【請求項１】
スプーンの掬部の先端から中心に向けて串刺食品の串を差し入れる溝を形設すると共に、掬部の中心に引抜孔を穿設してなることを特徴とする串刺食品用スプーン。
【請求項２】
溝の幅寸法を２ｍｍ以上とすることを特徴とする請求項１記載の串刺食品用スプーン。
【請求項３】
引抜孔の径を３ｍｍ以上とすることを特徴とする請求項１又は２記載の串刺食品用スプーン。
【発明の詳細な説明】
【技術分野】
【０００１】  本発明は、焼き鳥等の串刺食品の串に差し込んで、１つずつ上方に押し上げて食べることのできる串刺食品用スプーンに関するものである。
【背景技術】
【０００２】  従来の技術として、末端部に保持部を有し、前記保持部の前方に１箇所または、２箇所以上いろいろな角度を持つ、すき間を設けたことを特徴とする串刺し食品用器具がある。（特許文献１参照）【０００３】  また、別の従来技術として、スプーン形状にスプーンの機能を維持したままフォーク串部をどのように形成するかが問題となるが、フォーク串部をスプーンの中心部からやや先端寄りを起点とする外側エッジに沿った数本の曲線形で形成することでフォーク串部の長さを確保するとともに、スプーンのものを掬い溜める機能を維持し実用性を図る。もう一方の串部とならない三角形状の部分はスプーンのものを掬い確保する機能としてそのまま維持し実用性を図るものがある。（特許文献２参照）
【先行技術文献】
【特許文献】
【０００４】
【特許文献１】実開平４−８３１３３号公報
【特許文献２】特開２００５−２２４５５２号公報
【発明の概要】
【発明が解決しようとする課題】
【０００５】  上記前者の出願は、１箇所以上のいろいろな角度のすき間を設けてなるもので焼き鳥等の串刺食品を１つあるいは全部引き抜くことはできるが、そのまま食べることはできにくいものであり、また、串刺食品をこぼしてしまう恐れがある。【０００６】  上記後者の出願は、スプーンの機能を維持したままフォークの機能を付加してなるもので、串刺した焼き鳥等に使用できるものではない。【０００７】  本発明は、このような従来の構成が有していた問題を解決しようとするもので、串刺し食品の特に焼き鳥等を１つずつ串より引き抜き（取り外し）、そのまま食べることのできる串刺食品用スプーンを提供することを目的とする。
【課題を解決するための手段】
【０００８】  本発明は、上記目的を達成するために、スプーンの掬部の先端から中心に向けて串刺食品の串を差し入れる溝を形設すると共に、掬部の中心に引抜孔を穿設してなること。溝の幅寸法を２ｍｍ以上とすること。引抜孔の径を３ｍｍ以上とすること。
【発明の効果】
【０００９】１）溝に串を差し入れ、中央の引抜孔に串刺食品（焼き鳥等）を位置させ、上方に引き抜    く（押し上げる）ことにより、１つずつ（複数も可）取り外し、そのまま食べること    ができ、女性も安心して串刺食品を食べることができる。
２）溝の寸法を２ｍｍ以上とすることにより、細い串から太い串まで対応できる。
３）引抜孔の径を３ｍｍ以上とすることにより、串刺食品を引抜孔に入れ込むことにより    、串刺食品を係止でき、こぼすことなく食べることができる。
【図面の簡単な説明】
【００１０】
【図１】  本発明の一実施例を示す串刺食品用スプーンの平面図。
【図２】  本発明の一実施例を示す串刺食品用スプーンの縦断正面図。
【図３】  本発明の一実施例を示す串刺食品用スプーンの使用状態図１。
【図４】  本発明の一実施例を示す串刺食品用スプーンの使用状態図２。
【発明を実施するための形態】
【００１１】  串刺食品用スプーン１は、柄２と掬部３とからなり、掬部３の先端から中心に向けて串刺食品の串を差し入れる幅Ｈを２ｍｍ以上とする溝４を形設すると共に、掬部３の中心に、径Ｋを３ｍｍ以上とする引抜孔５を穿設してなるものである。（図１・図２）
【００１２】  つぎに、串刺食品用スプーン１の使用例について説明する。
串刺食品用スプーン１の柄２を持って串刺食品（例えば焼き鳥等）ＫＳの１つの焼き鳥Ｙの下面に、串刺食品用スプーン１の溝４を串Ｋ１に差し入れ、引抜孔５の位置に持って行く。（図３）
この状態で、柄２を持ち上げることにより、焼き鳥Ｙの下部Ｙ１が引抜孔５に入り込み串Ｋ１より取り外しても掬部３より落ちることなく、そのまま食べることができる。
【００１３】  上記実施例において、串刺食品用スプーンの材質や大きさ等は特に限定するものではない。
また、串刺食品は、みたらしだんごやつくね等、色々考えられるものである。
【符号の説明】
【００１４】１―――串刺食品用スプーン
２―――柄
３―――掬部
４―――溝
５―――引抜孔
Ｈ―――幅
Ｋ―――径
ＫＳ――串刺食品
Ｋ１――串
【図１】
2015150410.tif 000003
【図２】
2015150410.tif 000004
【図３】
2015150410.tif 000005
【図４】
2015150410.tif 000006
(57)【要約】      （修正有）【課題】カットプレートを触る必要がないため、お尻を拭いたあと、手に付着した大腸菌などへの心配もなく、衛生上、より効果なトイレットペーパー補助材を提供する。【解決手段】湾曲型カットプレート２端部に、両面テープを貼り付け、トイレットペーパーカット補助材４を取り付ける。または、湾曲型カットプレート２部分とトイレットペーパーカット補助材４部分を、新規に一体構造としたトイレットペーパーカットプレートを取り付ける。【選択図】図３
2015150408.tif 000002
【特許請求の範囲】
【請求項１】
2015150408.tif 000006
貼り付けのペーパーカット補助材である。
【請求項２】
トイレットペーパーロール紙を、指で摘みカットしたあと、２〜３ｃｍ露出しているペーパー端部を次にすぐ摘むことができる構造である。
【請求項３】
2015150408.tif 000007
【発明の詳細な説明】
【技術分野】
【０００１】  トイレットペーパーのロール紙端部を片手指で摘み、横スライドさせてカットしたあと、トイレットペーパー保持具及びカバー本体に触ることなく、次のペーパーもすぐ摘むことができるトイレットペーパーカットプレート補助材である。
【背景技術】
【０００２】  従来のトイレットペーパー先端部を取り出すのに、電動タイプとか、カバープレート上部に別ローラー取り付けタイプ等があるが、機構的に複雑でもある。
【先行技術文献】
【特許文献】
【０００３】
【特許文献１】  特開２００４−８１７３８号公報
【特許文献２】  特許第４７４１３３５号
【発明の概要】
【発明が解決しようとする課題】
【０００４】  トイレットペーパーカバー本体に触ることなく、片手指でトイレットペーパー端部を摘み、引っ張り出して、横にスライドさせ、ペーパーをカットすると同時に、次のペーパー端部が出ていて、それをすぐに摘める構造とする。
【課題を解決するための手段】
【０００５】
2015150408.tif 000003
取り付ける。補助材内側に取り付けた細かいギザギザのプレート部分でカットする。
【発明の効果】
【０００６】  トイレットペーパー端部を片手指で摘み、横に引くとカットできると同時に、カット後２〜３ｃｍ紙端部が出ているため、指先でロール紙を回転させることなく、次のペーパー端部をすぐ摘めることができる。且つ、カットプレートを触る必要がないため、お尻を拭いたあと、手に付着の恐れのある大腸菌など、衛生上の心配も不要である。
【図面の簡単な説明】
【０００７】
【図１】従来のトイレットペーパー保持具及び湾曲型カットプレートの図である。
【図２】従来のトイレットペーパー湾曲型カットプレート端部に貼り付け固定できるカット補助材の図である。
【図３】従来のトイレットペーパーの湾曲型プレート端部に、カット補助材を固定した図である。
【図４】トイレットペーパーロール紙をセットするため、カットカバーを上に上げた状態図である。
【図５】片手（右手）で、トイレットペーパーカット補助材により、ペーパーをカットしている図である。
【図６】カットしたあと、次のペーパー摘み動作が容易となるペーパー端部が２〜３ｃｍ出ている状態図である
【図７】カバーとカットプレート補助材を一体化した時の側面図である。
【発明を実施するための形態】
【０００８】  イ  金属製プレート材料（ステンレス・アルミニウム等）を、湾曲型カットプレートの横幅と同じ
2015150408.tif 000004
ハ  ロール紙が最後まで安全に且つカットし易くするため、両側の部分を含め、内側に細かい
2015150408.tif 000005
ニ  反り返りの部分には、両面テープを貼り付け、従来の湾曲型プレート端部に取り付けし易くする。
本発明は、以上の構成で、これを使用する時は、片手指でトイレットペーパーを横スライドさせカットしたあと、２〜３ｃｍロール紙端部が下側に露出しているため、お尻を拭いたあと懸念される大腸菌等付着の手で、トイレットペーパー保持具及びロール紙上部のカバー等に触ることなく、衛生的に次のペーパーも同じ片手指でカットできる。
【符号の説明】
【０００９】１    トイレットペーパー保持具
２    湾曲型カットプレート
３    トイレットペーパーロール紙
４    トイレットペーパーカット補助材
５    両面テープ
６    トイレットペーパーロール紙端部２〜３ｃｍ露出
７    カットプレートとトイレットペーパーカット補助材を一体化したカバー
【図１】
2015150408.tif 000008
【図２】
2015150408.tif 000009
【図３】
2015150408.tif 000010
【図４】
2015150408.tif 000011
【図５】
2015150408.tif 000012
【図６】
2015150408.tif 000013
【図７】
2015150408.tif 000014
(57)【要約】【課題】明日必要な忘れ物をなくす為に考えた多目的靴用トレイを提供する。【解決手段】本体部１は、樹脂や、プラスティック、アクリル等で出来た物を置く部分がある容器２に斜めにカットカットされた枠２１と、その容器２の中心部分にドーム型に形成された穴３０とで構成され、その穴には底辺部分にいくつかの小さな穴３１が設けてあり、本体上の周囲には、ゴムでできたマグネット２２が貼り付けてあり、又、本体の裏面には人工芝６０が貼ってあり、本体先端中心には吊り下げる為のフック穴３２が有る。これらで構成された忘れ物を無くす為に使用出来、又、その他にも利用出来る事を特徴とする多目的靴用トレイを提供する。【選択図】図１
2015150406.tif 000002
【特許請求の範囲】
【請求項１】
トレイ部２と、靴に挿入する挿入部３からなり、挿入部は容器状で、トレイのホール３に設置され、挿入部の容器状には、複数の小穴３１を備えた多目的靴用トレイであって、  持参する物をトレイ部におき、靴の開口部に、前記挿入部３を突っ込んで靴に設置することで、持参する物を忘れないようにしたことを特徴とした多目的靴用トレイ。
【発明の詳細な説明】
【技術分野】
【０００１】この発明は、忘れ物をなくす為に考えた靴用トレイに関するものである。
【背景技術】
【０００２】従来人は、明日必要なものを忘れぬように、前日に玄関に置いておくとか、テーブルの上に用意する等、様々な工夫をしてきたのが一般的であった。
【先行技術文献】
【特許文献】
【０００３】
【特許文献１】特願平８−１１９４４７公報
【発明の概要】
【発明が解決しようとする課題】
【０００４】明日必要なものを忘れないように、前日に用意する事が出来、又、その他にも利用が出来る画期的なツールがあればよい。本発明はこれ等の問題点を改善する為になされたものである。
【課題を解決するための手段】
【０００５】明日履いていく靴にセット出来るトレイ。
【発明の効果】
【０００６】明日履いていく靴の足挿入部に本体をセットし、その上に明日必要なものを置いて用意しておけば、必ず忘れ物をしなくてよい。又、本体の収納時は、マンション等の玄関のドア内面に、本体上周囲に設けたゴムでできたマグネットで貼り付けておける事や、壁のフックやネジなどに、本体のフック穴にて吊り下げ収納する事も出来る。その他、裏返して、ドアストッパーとして使用する事も出来、又、靴の足挿入部に本体をセットし、本体のドーム型に形成された足挿入部に消臭ビーズ剤等を入れ、靴の匂いを取たり、乾燥剤などを入れて靴を乾燥させる事も出来、いつも清潔に保つ事が出来る多目的靴用トレイ。
【図面の簡単な説明】
【０００７】
【図１】（ａ）本発明の多目的靴用トレイの構成斜視図である。（ｂ）同実施形態の使用図である。
【図２】（ａ）本発明の多目的靴用トレイ（一足用）構成斜視図である。（ｂ）同実施形態の使用図である。
【図３】（ａ）同実施形態の玄関ドアや壁への収納玄関ドアと壁への収納（ｂ）同実施形態をドアスットパ−として使う使用例の斜視図である。
【発明を実施するための形態】
【０００８】  本発明の多目的靴用トレイの構成を図１〜図３を使って説明する。
図１は、本発明の多目的靴用トレイ（片足用）の構成である。
（ａ）は構成図、（ｂ）は使用図である。
本発明の多目的靴用トレイ（片足用）は、トレイ部２と、靴に挿入する挿入部３からな  る。挿入部は容器状で、トレイのホール２５に設置され、挿入部の容器状には、複数の  小穴３１を備えている。持参する物をトレイ部におき、靴の開口部に、前記挿入部３を  突っ込んで靴６に設置することで、持参する物５を忘れないようにしている。
挿入部３には、複数の小穴３１が開いており、挿入部に消臭剤などをいれたときに、靴  の内部に伝わり易くなる。
トレイ部２の裏側に、人工芝を貼り付けると、多目的靴用トレイを裏返したとき、見栄  えがよい。
トレイ部２の周囲には枠２１があり、グッズが落ちないようにしている。また、枠には  マグネットを埋め込んで、図３（ａ）のように玄関にドアに付けられるようにしてもよい。
また、枠を図１（ａ）のよいに斜めにして、図３（ｂ）に示すように、裏返して玄関ド  アのストッパとして使用してもよい。
多目的靴用トレイに吊り下げる為のフック穴を設けると、引っ掛けて収納し易くなる。
図１（ｂ）は、多目的靴用トレイを靴にセットし、トレイ部と挿入部に、様々な物５（資料５１、カタログ、５２、乾燥剤５３、郵便物５４、ちり紙５５、鍵５６、ハンカチ５７、書物５８、消臭剤５９等）を置いた図である。
【０００９】  図２は、本発明の多目的靴用トレイ（片足用）の構成である。
（ａ）は構成図、（ｂ）は使用図  を示す。
図２の（ａ）は、一人分の靴一足（両足用）のもので、図１の（ａ）の多目的靴用トレ  イ（片足用）を二つ並べて作られた多目的靴用トレイ（一足用）である。
多目的靴用トレイ（一足用）と同様に、物を置く部分の容器の中ほどに挿入部３が二つ  あり、その挿入部は容器状で、その底辺周囲部分にはいくつかの小穴３１が設けてある  。トレイ部２は先端に向かって斜めにカットされ、その周囲には、同様にゴムでできた  マグネットが貼り付けて有る。図３の（ａ）のように、ゴムでできたマグネットにて玄  関ドアの内面に貼り付け収納できる。
図２の（ｂ）は、多目的靴用トレイを靴にセットし、トレイ部と２つの挿入部に様々な  物（資料５１、カタログ、５２、乾燥剤５３、郵便物５４、ちり紙５５、鍵５６、ハン  カチ５７、書物５８、消臭剤５９等）を置いた図である。
【００１０】  図３は、図２（ａ）の収納例を示す。
図３の（ａ）は、図２の（ａ）のゴムでできたマグネット２２にて玄関ドアの内面に貼  り付け収納した例と、図２の（ａ）の本体先端中心には吊り下げる為に設けたフック穴  ３２にて壁面のフックやネジや釘に吊るして収納した例を示す。
図３の（ｂ）は、同実施形態を逆さまにし、ドアストッパーとして使用した図である。
【符号の説明】
【００１１】  １      多目的靴用トレイ
２      トレイ部
２１  枠
２２  マグネット
２３  マーク
２４  人工芝
２５  ホール
３      挿入部
３１  小穴
３２  フック穴
４      玄関ドア
６      壁
５      グッズ
５１  資料
５２  カタログ
５３  乾燥剤
５４  郵便物
５５  携帯ちり紙
５６  鍵
５７  ハンカチ
５８  書物
５９  消臭剤
６      靴
【図１】
2015150406.tif 000003
【図２】
2015150406.tif 000004
【図３】
2015150406.tif 000005
(57)【要約】      （修正有）【課題】従来のサンダルは足の裏とサンダルの部分が常に密着する事で、皮膚と細胞の中で何んらかの抵抗を与えていたため、第二の心臓と言われる、足の裏にあたる皮膚の部分を少しでも和らげ負担をなくす様に、余り自然に無理をせず履く事の出来る物を提供する。【解決手段】サンダルを履いた時に、足の裏にあたる、一部分だけの筋肉に対応する部分を切り込むことによって、足裏全体がサンダルの底の部分に密着し、足の裏全体で体重をささえられるようにする。又、切り込みを入れた部分に、安静出来る様な花の香り等のする匂い袋を入れる事で、皮膚呼吸する足の裏からリフレッシュできる。【選択図】図１
2015150415.tif 000002
【特許請求の範囲】
【発明の詳細な説明】
【技術分野】
【０００１】本発明は、一般家庭の家の中で履くサンダルに関する。
【背景技術】
【０００２】従来のサンダルには、足の裏を刺激して血行をよくするイボ、イボのサンダルがあります。
【先行技術文献】
【特許文献】
【０００３】
【０００４】
【発明の概要】
【発明が解決しようとする課題】
【０００７】足の裏を刺激して、血行を良くして、イボ、イボのサンダルを履く事により、揉み返し等により、柔らかかった皮膚が硬くなり、主人の足の裏の様に毎日の軽石で、擦るのでは物の足りず、一週間に一度のカミソリで堅くなった皮膚を削る事で、解消している訳です。【０００８】本発明は揉み返しが少なく成る様に自然に近い砂の上を裸足であるく様にする物である。
【課題を解決するための手段】
【０００９】本発明は、足の裏がサンダルを履いた時、おうとつの部分をなくす為の物である。いわゆる、おうとつの部分を無くす事で、足の裏全体がサンダルの底の部分に密着する事に余り、足の裏全体で体重を支える為、直接あたる筋肉が一部分だけではなくする。
【発明の効果】
【００１０】サンダルを履いた時に、足の裏にあたる、一部分だけの筋肉で体重を支えている事は、その一部分だけの筋肉が常に負担が掛かっている訳でありその問題を解決する為の物である。又その際には、足の裏自体が持つ効能性や機能性等を利用して且、自然に近い履き物のサンダルである。
【図面の簡単な説明】
【図１】
2015150415.tif 000003
【図２】
2015150415.tif 000004
【手続補正書】
【提出日】平成26年12月6日(2014.12.6)
【手続補正１】
【補正対象書類名】特許請求の範囲
【補正対象項目名】全文
【補正方法】追加
【補正の内容】
【特許請求の範囲】
【請求項１】
従来のサンダルとは違い、砂浜を裸足であるく様な感じに近い、縒り自然に近い履き物である。
普段履くサンダルとは違い、サンダルと、直接足の裏があたる部分の足の筋肉の刺激を和らげる事により、体自体がもつ本来の抵抗を無くす為のものである。
刺激を与える事により、体の内部の働きがあると思うのですが（その点は医学的なもので私には判からないのですが）例えば
怪我をした時に（外傷等）は傷口を塞ごうとする細胞の働きがあるのと同じで、足の裏での刺激が何んらかであるとすれば、
それを塞せごうとする細胞、筋肉の働きが、足の裏の固さを生み、第二の心臓と言われる足の裏に負担を掛け、疲労感を与えるものだと思います。唯このスリッパも長く履くと疲れはでると思いますが、扁平足の人には逆に何んらかの足の裏に対する改善には成ると思います。
【手続補正２】
【補正対象書類名】明細書
【補正対象項目名】全文
【補正方法】変更
【補正の内容】
【発明の詳細な説明】
【技術分野】
【０００１】本発明は、一般家庭の家の中で履くサンダルに関する。
【背景技術】
【０００２】従来のサンダルには、足の裏を刺激して血行をよくするイボ、イボのサンダルがあります。
【先行技術文献】
【特許文献】
【０００３】
【０００４】
【発明の概要】
【発明が解決しようとする課題】
【０００７】足の裏を刺激して、血行を良くして、イボ、イボのサンダルを履く事により、揉み返し等により、柔らかかった皮膚が硬くなり、主人の足の裏の様に毎日の軽石で擦るのでは物足りず、一週間に一度のカミソリで堅くなった皮膚を削る事で、解消している訳です。【０００８】本発明は揉み返しが少なく成る様に自然に近い砂の上を裸足であるく様にする物である。
【課題を解決する為の手段】
【０００９】本発明は、足の裏がサンダルを履いた時に、おうとつの部分をなくす為の物である。いわゆる、おうとつの部分を無くす事で、足裏全体がサンダルの底の部分に密着する事に余り、足の裏全体で体重を支える為、直接あたる筋肉が一部分だけではなくする。
【発明の効果】
【００１０】サンダルを履いた時に、足の裏にあたる、一部分だけの筋肉で体重を支えている事は、その一部分だけの筋肉が常に負担が掛かっている訳でありその問題を解決する為の物である。
又その際には、足の裏自体が持つ効能性や機能性等を利用して且、自然に近い履き物のサンダルである。
【図面の簡単な説明】
【００１１】
【図１】本発明に係るサンダルの作成方法の行程を表した図である。
【図２】図１に続き、本発明に係るサンダルの作成方法の工程を表した図である
【手続補正３】
【補正対象書類名】図面
【補正対象項目名】全図
【補正方法】変更
【補正の内容】
【図１】
2015150415.tif 000005
【図２】
2015150415.tif 000006
(57)【要約】【課題】突起部を設けた場合であっても付着した汚れを容易に洗浄でき、かつ、グリップ力を維持すること。【解決手段】平板状のソール本体２０と、ソール本体２０から突出され、錐台状に形成された複数の突起部３０と、突起部３０とソール本体３０との間は、Ｒ部が形成されている。【選択図】図２
2015150013.tif 000002
【特許請求の範囲】
【請求項１】
平板状のソール本体と、
このソール本体から突出され、錐台状に形成された複数の突起部と、
前記突起部と前記ソール本体との間は、Ｒ部が形成されていることを特徴とする靴底。
【請求項２】
前記ソール本体及び前記突起部の側壁面は、フッ素系樹脂、シリコン系ゴム、又は、これらの組合せによるコーティング処理が施されていることを特徴とする請求項１に記載の靴底。
【発明の詳細な説明】
【技術分野】
【０００１】
本発明は、運動靴等の靴底に関し、特に汚れが付きにくく、かつ、洗浄が容易な技術に関する。
【背景技術】
【０００２】
運動靴の靴底には、グリップ力を増すために突起部が多数設けられているものが知られている（例えば、特許文献１〜３参照。）。
【先行技術文献】
【特許文献】
【０００３】
【特許文献１】特許３２２７１３４号公報
【特許文献２】特許３７０９３９６号公報
【特許文献３】特許５１５６６９９号公報
【発明の概要】
【発明が解決しようとする課題】
【０００４】
上述した靴底では、次のような問題があった。すなわち、突起部を設けることでグリップ力は増すが、凹部に泥等の汚れが付きやすく、また、付着した泥等は洗浄しにくいという問題があった。
【０００５】
そこで本発明は、突起部を設けた場合であっても付着した汚れを容易に洗浄でき、かつ、グリップ力を維持することができる靴底を提供することを目的としている。
【課題を解決するための手段】
【０００６】
前記課題を解決し目的を達成するために、本発明の靴底は次のように構成されている。
【０００７】
平板状のソール本体と、このソール本体から突出され、錐台状に形成された複数の突起部と、前記突起部と前記ソール本体との間は、Ｒ部が形成されている。
【発明の効果】
【０００８】
本発明によれば、突起部を設けた場合であっても付着した汚れを容易に洗浄でき、かつ、グリップ力を維持することが可能となる。
【図面の簡単な説明】
【０００９】
【図１】本発明の一実施の形態に係る靴底を示す斜視図。
【図２】同靴底に設けられたソール本体と突起部を模式的に示す説明図。
【図３】同ソール本体と突起部を示す説明図。
【図４】同ソール本体と突起部の変形例を示す説明図。
【図５】同靴底の変形例を示す底面図。
【図６】同変形例を示す斜視図。
【図７】同突起部の形成方法を示す説明図。
【図８】同突起部の形成方法を示す説明図。
【図９】同突起部の形成方法を示す説明図。
【発明を実施するための形態】
【００１０】
図１は本発明の一実施の形態に係る靴底１０を示す斜視図、図２は靴底１０に設けられた突起部を模式的に示す説明図、図３は突起部３０を示す説明図である。
【００１１】
靴底１０は、平板状であり足形に形成された樹脂材製のソール本体２０と、このソール本体２０から下側に突出した複数の突起部３０とを備えている。
【００１２】
突起部３０は、例えば、ソール本体２０側の底部３１と着地面側の頂部３２とを有する円錐台状に形成されている。この突起部３０の底部３１の直径Ｄ１と高さＨはほぼ同じ比率で形成され、かつ、頂部３２の直径Ｄ２が底部の直径Ｄ１の半分となる寸法で形成されている。
【００１３】
また、突起部３０とソール本体２０との間は、半径Ｒで曲面状に繋がれ、そのＲ部の曲率は頂部３２の直径Ｄ２の半分となっている。
【００１４】
ソール部３０と突起部３０の表面（後述するように頂部３２は除く）にはフッ素系樹脂、シリコン系ゴム、あるいはこれらの混合物による皮膜Ｅが形成されている。皮膜Ｅ表面は滑らかであり、汚れが付着しにくい。
【００１５】
なお、突起部３０の寸法関係は上記のものに限られるわけではなく、図４に示すように、突起部３０の底部３１の直径Ｄ１に対し、高さＨが半分に形成され、かつ、頂部３２の直径Ｄ２が底部の直径Ｄ１の３／４となる寸法とし、さらにＲ部の曲率を直径Ｄ／４としてもよい。
【００１６】
図５は靴底１０Ａの変形例を示す底面図、図６は靴底１０Ａの斜視図を示している。靴底１０Ａは、平板状であり足形に形成された樹脂材製のソール本体２０Ａと、このソール本体２０Ａから下側に突出した複数の突起部３０Ａとを備えている。突起部３０Ａの頂部３２Ａに凹部３３が形成されている。突起部３０Ａの配置は上述した突起部３０の配置とは異なっている。このように、必要な突起部の数、形状等に応じて適宜配置を変更しても良い。
【００１７】
図７〜図９は突起部３０の形成方法を示す説明図である。図７に示すように突起部３０を設計高さより微少量ｔだけ高く形成する。次に図８に示すように、フッ素系樹脂、シリコン系ゴム、あるいはこれらの混合物を噴射してコーティング処理を施す。次に、図９に示すように、微少量ｔだけ余剰物Ｑを切除する。したがって、突起部３０の頂部３２にはコーティング処理が施されず、皮膜Ｅが形成されていない。
【００１８】
このように形成された靴底１０は、突起部３０の凹凸によりグリップ力が増す。また、ソール本体２０と突起部３０との間にＲ形状が形成され、泥等が付着しにくい形状となっている。さらに、表面には皮膜Ｅが形成されていることから、泥等が付着しても水流を用いて容易に拭き取ることが可能となる。
【００１９】
着地面となる突起部３０の頂部３２にはコーティング処理が施されず、皮膜Ｅによって滑ることがなく、グリップ力を維持することができる。
【００２０】
なお、本発明は前記実施の形態に限定されるものではない。上述した例では突起部を円錐台状としたが、傾斜面が形成されていれば角錐台状であってもよい。この他、本発明の要旨を逸脱しない範囲で種々変形実施可能であるのは勿論である。
【符号の説明】
【００２１】
１０…靴底、２０…ソール本体、３０…突起部、３１…底部、３２…頂部（着地面）。
【図１】
2015150013.tif 000003
【図２】
2015150013.tif 000004
【図３】
2015150013.tif 000005
【図４】
2015150013.tif 000006
【図５】
2015150013.tif 000007
【図６】
2015150013.tif 000008
【図７】
2015150013.tif 000009
【図８】
2015150013.tif 000010
【図９】
2015150013.tif 000011
(57)【要約】【課題】風力発電に於いて弱風の時外部動力で補助をして発電を手助けをし強風の時、外部動力でプロペラの回転速度を遅くして機械器具の故障、破損を減らす又なくする。結果．発電稼働時間が大幅に増加し、又機械器具の故障破損が減り、より安定的な風力発電を提供する。【解決手段】タワーに、動力源のモーターを架設し、風力の強弱により、プロペラの回転速度を正常なスピードにコントロールすることにより風力発電量を増やして、故障を軽減し、安定運転につなげようとする仕組みを特徴とする。【選択図】図２
2015172366.tif 000002
【特許請求の範囲】
【請求項１】
風力発電のプロペラを回転させるのに、通常の風力とは別に、補助する役目の動力を架設した
事を特徴とした、ハイブリット風力発電。
【請求項２】
弱風で、発電にはプロペラの回転が遅い時、補助をして外部動力のスピードに同調する事によりプロペラの回転速度を早めて、発電稼働時間を大幅に長くする事ができる
事を特徴とした、ハイブリッド風力発電。
【請求項３】
強風で、プロペラの回転速度が異常に早まり、オーバーランの状況になりそうな時、補助動力が稼働し、補助動力のスピードにプロペラの回転スピードは同調しプロペラの回転速度が押さえられ、オーバーランによる機械器具の故障、破損をなくする事が出来、プロペラは、発電基準スピードに保たれ発電を連続維持できる
事を特徴とした、ハイブリット風力発電。
【発明の詳細な説明】
【技術分野】
【０００１】本発明は風力発電に関して、弱風の時は外部動力で補助して発電を手助け、強風の時は外部動力でプロペラの回転をセーブして、機械器具の故障、破損を軽減出来る様にしたものです。
【背景技術】
【０００２】従来の風力発電では一定以上の風力の時だけ稼働．発電するものであった、又台風、強風の時プロペラがオーバーランした時、それを制御するすべがなく、故障．破損を発生させていた。
【先行技術文献】
【技術文献】
【０００３】
【技術文献１】
【発明の概要】
【発明が解決しようとする課題】
【０００４】（イ）  これまでは、次のような欠点があった、おおよそ風速３ｍ以下の弱風の時は発電せず
（ロ）  台風等、強風の時はプロペラはオーバーランをして、機械．器具の故障、破損が発生した。
本発明は以上の様な欠点をなくすためになされたものである。
【課題を解決するための手段】
【０００５】課題を解決するための手段としてプロペラとハブは一体化しています。
プロペラには、磁力受鉄板がリング状に固定されています。タワーに設置された架台にはモーター用ホイールを先端に具備した電磁クラッチモーターと伝動ベルト又はチェーンの張力を調整するテンションローラーが取り付けられている。
伝動ベルト又はチェーンを支える、ホイールにはプロペラに取り付けた磁力受鉄板と同等の大きさのリング状の電磁石盤を取り付けスイッチＯＮになれば電磁石盤は、前後に可動状態で取り付ける事によってプロペラ側の受鉄板に吸いつく仕組みです。直ＯＦＦの状態では隙間５ｃｍ位開いています。
【発明の効果】
【０００６】（イ）  発電をしている状態から発電不能なプロペラの回転速度になった時、外部動力が作動しプロペラの回転を早めることにより発電を連続維持する事が出来ます。
（ロ）  平常発電速度を超過しプロペラの回転が異常に早まった時、外部動力が作動し外部動力のスピードに同調する事によりプロペラの回転速度はおさえられ弱まり発電基準スピードに保たれ直、且つオーバーランによる機械器具の故障、破損をなくする事が出来、発電を連続維持する事が出来ます。
【図面の簡単な説明】
【０００７】
【図１】  本発明の全体正面図である。
【図２】  本発明の側面図である。
【図３】  本発明の背面図である。
【発明を実施するための形態】
【０００８】以下、本発明の実施の形態について説明する。
プロペラには、磁力受鉄板がリング状に固定されています。タワーに設置された架台にはモーター用ホイールを先端に具備した電磁クラッチモーターと伝動ベルト又はチェーンの張力を調整するテンションローラーが取り付けられている。
伝動ベルト又はチェーンを支える、ホイールにはプロペラに取り付けた磁力受鉄板と同等の大きさのリング状の電磁石盤を取り付けスイッチＯＮになれば電磁石盤は、前後に可動状態で取り付ける事によってプロペラ側の受鉄板に吸いつく仕組みです。直ＯＦＦの状態では隙間５ｃｍ位開いています。
本発明は以上のような構造である。本発明を使用する時は、以上の架設状況で弱風になった時電磁クラッチ付きモーターがスイッチＯＮになりホイールが回転を始め次いで電磁石もスイッチＯＮになりホイールの電磁石は、プロペラの磁力受板と接してモーターのスピードにプロペラの速度が同調して正常速度になり発電をする。
強風の時同じくモーターがスイッチＯＮになりホイールが回転を始め次いで電磁石もスイッチＯＮになりホイールの電磁石とプロペラの磁力受板は接する事になり今度は速すぎるプロペラのスピードをモーターのスピードに合わせる事により、正常スピードに押さえ発電もし、オーバーランも防ぐ。
【符号の説明】
【０００９】１      電磁クラッチ付モーター
２      モーター用ホイール
３      伝導ベルト又はチェーン
４      伝導ホイール
５      テンションローラー
６      プロペラ
７      磁力受板
８      電磁石発生板
９      発電本体部
１０    タワー
１１    コンバーター
１２    増速機
１３    発電機
【図１】
2015172366.tif 000003
【図２】
2015172366.tif 000004
【図３】
2015172366.tif 000005
(57)【要約】【課題】  ねじ穴に螺合するだけでねじ穴の深さを測定可能な雄ねじを提供することである。【解決手段】  雌ねじが形成されたねじ穴に螺合する雄ねじであって、螺旋状の溝が刻まれた軸部の外周面の一部に、軸方向に延在する平坦面が形成されているとともに、該平坦面には、該軸部の先端からの距離を示す目盛が形成され、該軸部が該ねじ穴に螺合した長さを該目盛で測定できることを特徴とする。【選択図】図１
2015172425.tif 000002
【特許請求の範囲】
【請求項１】
雌ねじが形成されたねじ穴に螺合する雄ねじであって、
螺旋状の溝が刻まれた軸部の外周面の一部に、軸方向に延在する平坦面が形成されているとともに、
該平坦面には、該軸部の先端からの距離を示す目盛が形成され、
該軸部が該ねじ穴に螺合した長さを該目盛で測定できることを特徴とする雄ねじ。
【請求項２】
前記平坦面が、前記軸部の外周面に二面以上形成されている請求項１記載の雄ねじ。
【発明の詳細な説明】
【技術分野】
【０００１】
本発明は雄ねじに関し、特に、ねじ穴の深さを測定可能な雄ねじに関する。
【背景技術】
【０００２】
雌ねじの形成されたねじ穴の深さに適した雄ねじを使用することで最適な締結状態が得られるが、ねじ穴の深さが不明の場合、その深さを測る必要がある。その際、一般的に実施する手順としては、軸部の長さが明らかな雄ねじを深さが不明のねじ穴に先端がねじ穴の底部に接触するまで螺合させる。
【０００３】
その後、ねじ穴から突出した雄ねじの軸の長さをスケール等で計測し、軸部の全長から突出した軸方向の長さを減算してねじ穴の深さを算出している。しかし、この測定方法では、雄ねじとスケールを別途用意する必要があり、さらには測定後計算が必要になるという面倒がある。
【０００４】
この問題を解決するために、特開平７−２３９２０１号公報には、筒状をなすホルダと、このホルダに回転並びに摺動自在に挿通されるシャフトと、シャフトの先端に取り付けられたねじ穴に螺合するアダプタと、ホルダの先端面を基準とするアダプタの突出長さを表示する目盛と、からなるねじ深さ測定具が記載されている。
【先行技術文献】
【特許文献】
【０００５】
【特許文献１】特開平７−２３９２０１号公報
【発明の概要】
【発明が解決しようとする課題】
【０００６】
特許文献１に記載されたねじ深さ測定具は、ねじ穴の深さを容易かつ的確に測定することができるが、部品点数も多く複雑であり、コストもかかるという問題がある。
【０００７】
本発明はこのような点に鑑みてなされたものであり、その目的とするところは、ねじ穴に螺合するだけでねじ穴の深さを測定可能な雄ねじを提供することである。
【課題を解決するための手段】
【０００８】
本発明によると、雌ねじが形成されたねじ穴に螺合する雄ねじであって、螺旋状の溝が刻まれた軸部の外周面の一部に、軸方向に延在する平坦面が形成されているとともに、該平坦面には、該軸部の先端からの距離を示す目盛が形成され、該軸部が該ねじ穴に螺合した長さを該目盛で測定できることを特徴とする雄ねじが提供される。
【０００９】
好ましくは、平坦面は軸部の外周面に二面以上形成されている。
【発明の効果】
【００１０】
本発明の雄ねじを用いれば、雄ねじを雌ねじが形成されたねじ穴に螺合するだけでねじ穴の深さの計測が可能となる。通常の雄ねじを加工するだけで容易に製作可能であり、別途スケールを用いる必要もなく、計算の必要もないという効果を奏する。
【００１１】
軸部の二面に目盛を形成した場合には、回転する雄ねじの目盛を様々な方向から容易に視認し易くなるという利点もある。
【図面の簡単な説明】
【００１２】
【図１】図１（Ａ）は本発明実施形態に係る雄ねじの正面図、図１（Ｂ）は図１（Ａ）に示した雄ねじの底面図である。
【図２】雄ねじをねじ穴に螺合した状態の断面図である。
【発明を実施するための形態】
【００１３】
以下、本発明の実施形態を図面を参照して詳細に説明する。図１（Ａ）を参照すると、本発明実施形態に係る雄ねじ２の正面図が示されている。図１（Ｂ）は雄ねじ２の底面図である。
【００１４】
本実施形態の雄ねじ２は、六角穴ボルトであり、螺旋状のねじ溝６が形成された軸部４と、頭部８とから構成される。頭部８の頂面８ａには締結用の工具が係合する六角穴が形成されている。
【００１５】
図１（Ｂ）の底面図に最も良く示されるように、軸部４の外周面に軸方向に延在する一対の平坦面１０が形成されている。平坦面１０は軸部４をスライス加工することにより形成される。各平坦面１０には、軸部４の先端面４ａを原点とする目盛１２が形成されている。
【００１６】
この目盛１２は、例えばレーザーで刻印することにより形成される。目盛１２をレーザーで刻印することにより、摩擦等に対する目盛１２の耐久性を向上できる。しかし、目盛１２の形成方法は、レーザー加工に限定されるものではなく、目盛１２を有するシートを平坦面１０に貼着するようにしてもよい。
【００１７】
本実施形態の雄ねじ２では、軸部４に周方向に１８０°離間して２つの平坦面１０が形成されているため、雄ねじ２をねじ穴に螺合する時に、回転する雄ねじ２の目盛１２を様々な方向から容易に視認し易くなる。しかし、平坦面１０は２面に限定されるものではなく、一面だけでも良いし、互いに１２０°離間して３つの平坦面を形成するようにしても良い。
【００１８】
本実施形態の雄ねじ２は頭部８の頂面８ａに六角穴が形成された六角穴ボルトであるが、雄ねじ２はこれに限定されるものではなく、頭部８の側面が六角形状の六角ボルトでもよいし、或いは頭部８の頂面８ａにスクリュードライバーが係合する＋又は−の係合溝が形成されている雄ねじでも良い。
【００１９】
次に、図２を参照して、雄ねじ２によるねじ穴の深さ測定方法について説明する。例えば加工装置のフレーム等の構造部材１４には、雌ねじを有するねじ穴１６が形成されている。
【００２０】
本実施形態の雄ねじ２でねじ穴１６の深さを測定するには、締結工具を雄ねじ２の頭部に形成された六角穴に係合して、雄ねじ２をねじ穴１６に螺合して雄ねじ２の先端面４ａがねじ穴１６の底面１６ａに接触するまでいっぱいに締め付ける。
【００２１】
雄ねじ２の平坦面１０に目盛１２が形成されているため、構造部材１４の表面１４ａに相当する目盛の位置を読み取ることにより、作業者はねじ穴１６の深さを目視により容易に測定することができる。
【００２２】
各種のねじ径、各種の長さの雄ねじに同様に平坦面及び目盛を形成した複数種類の雄ねじを用意しておけば、直径及び深さの異なる様々なねじ穴の深さを容易に測定することができる。
【符号の説明】
【００２３】
２    雄ねじ
４    軸部
６    ねじ溝
８    頭部
１０    平坦面
１２    目盛
１４    構造部材
１４ａ    構造部材表面
【図１】
2015172425.tif 000003
【図２】
2015172425.tif 000004
(57)【要約】      （修正有）【課題】掃除機を使っていると、フローリングの板に掃除機では吸引出来にくいゴミがこびり付いていることがある。これを、取り除くには、腰をかがめ、ひざを折らねばならない。腰痛持ちや、ひざに痛みのあるものには真に辛い。そこで立位の状態で、こびり付いたゴミなどを除去できるようにする。【解決手段】家庭用電気掃除機のヘッドの防護枠中央に突起３を付けた。突起３の寸法を、幅２〜６センチメートル、長１〜３センチメートル、突起３の形状を、三角錐型、半円錐型、または、凹凸の付いた半円錐型である電気掃除機用ヘッドとし、膝や腰などへの負担を軽減し立位の状態で除去しにくいゴミを取り除くことを可能にした。【選択図】図１
2015100405.tif 000002
【特許請求の範囲】
【請求項１】
家庭用電気掃除機のヘッドの防護枠中央に突起を付けたことを特徴とする電気掃除機のこびり付きごみ剥がし用突起
【請求項２】
突起の寸法を、幅２〜６センチメートル、長１〜３センチメートルであることを
特徴とする請求項１に記載の電気掃除機のこびり付きごみ剥がし用突起
【請求項３】
突起の形状が、三角錐型、半円錐型、または、凹凸の付いた半円錐型であることを特徴とする請求項２に記載の電気掃除機のこびり付きごみ剥がし用突起
【発明の詳細な説明】
【技術分野】
【０００１】
本発明は掃除機に主として家庭で使用する掃除機に関する。
【背景技術】
【０００２】
掃除機を使っていると、フローリングの板に掃除機では吸引出来にくいゴミがこびり付いていることがある。これを、取り除くには、腰をかがめ、ひざを折らねばならない。腰痛持ちや、ひざに痛みのあるものには真に辛い。そこで枠を床に押し付けてみたが剥がすことは出来なかった。
【先行技術文献】
【特許文献】
【０００３】
【特許文献１】特開平７−５９７０３
【発明の概要】
【発明が解決しようとする課題】
【０００４】
掃除機を使っていると、フローリングの板に掃除機では吸引出来にくいゴミがこびり付いていることがある。これを、取り除くには、腰をかがめ、ひざを折らねばならない。腰痛持ちや、ひざに痛みのあるものには真に辛い。そこで枠を床に押し付けてみたが剥がすことは出来なかった。
【課題を解決するための手段】
【０００５】
そのため、枠の中央に突起があれば力が集中して剥がすことが出来ると思いついた。
第１の発明は、家庭用電気掃除機のヘッドの防護枠中央に突起を付けた電気掃除機のこびり付きごみ剥がし用突起である。
また、第２の発明は、第１の発明において、突起の寸法を、幅２〜６センチメートル、長１〜３センチメートルとした電気掃除機のこびり付きごみ剥がし用突起である。
また、第３の発明は、第２の発明において、突起の形状が、三角錐型、半円錐型、または、凹凸の付いた半円錐型である電気掃除機のこびり付きごみ剥がし用突起である。
【発明の効果】
【０００６】
動機に書いたように、膝や腰などへの負担を軽減し立位の状態で除去しにくいゴミを取り
り除くことが出来る
【図面の簡単な説明】
【０００７】
【図１】図１は電気掃除機のヘッド部分の防護枠に突起をつけた状態の説明図である。
【図２】図２は使用説明図である。
【図３】図３はゴミ剥がし用突起の形である。
【発明を実施するための形態】
【０００８】
電気掃除機(以下掃除機)のヘッド防護枠２の中央にゴミ剥がし用突起３をつける。ゴミ剥がし用突起３は、枠の製造時に成型する。ゴミ剥がし用突起３の寸法は、幅２〜６センチメートル、長１〜３センチメートルとした。最も使いやすかった大きさは、幅３〜４センチメートル、長２センチメートル前後であった。
【０００９】
ゴミ剥がし用突起３の形状は、三角錐型、半円錐型、凹凸を付けた半円錐型のいずれでも、良いが、三角錐型が最も使いやすかった。
使い方は、ゴミ剥がし用突起をこびりついたゴミに押し当て剥ぎ取り、その後に掃除機で
吸い取る。なお、ゴミ剥がし用突起に付着したままのゴミは雑巾等でふき取る。
【産業上の利用可能性】
【００１０】
本発明は家庭用電気掃除機の新しい用途を提供するもので、製造、流通、販売等の活動を活性化させると期待できる。
【符号の説明】
【００１１】
１  ヘッド本体
２  防護枠
３  ゴミ剥がし用突起  
４  ごみ  
５  床板  
【図１】
2015100405.tif 000003
【図２】
2015100405.tif 000004
【図３】
2015100405.tif 000005